(57)【要約】      （修正有）【課題】不使用時には洗面台の側部又は背部に格納することで外観的に目立たなくするとともに、補助鏡等の補助器具を使用する際にはアームを延伸させることで所望の位置及び姿勢で補助器具を位置させることが可能で、既存の洗面台に後付も可能な洗面台における補助器具の支持装置を提供する。【解決手段】洗面台３に設けられ、洗面台３の使用者Ｍの作業を補助する補助器具の支持装置１であって、洗面台３に設けられたガイド１３と、このガイド１３に沿って洗面台３の上部から出入りする屈曲自在な多節アーム１１と、この多節アーム１１の先端に設けられ補助器具２を取り付ける取付部とを有し、多節アーム１１は、複数のアームを互いに回動自在に連結して構成され、かつ、前記アームは前記アーム及び前記補助器具の自重によって一側に各々が回動するように構成してある。【選択図】図１
2017169948.tif 000002
【特許請求の範囲】
【請求項１】
洗面台に設けられ、洗面台の使用者の作業を補助する補助器具の支持装置であって、
前記洗面台に設けられたガイドと、
このガイドに沿って前記洗面台の上部から出入りする屈曲自在な多節アームと、
この多節アームを移動させて前記洗面台の上部から出入りさせる移動手段と、
前記多節アームの先端に設けられ前記補助器具を取り付ける取付部材とを有し、
前記多節アームは、複数のアームを互いに回動自在に連結して構成され、かつ、前記アームは、前記アーム及び前記補助器具の自重によって一側に各々が回動し、
各前記アームの各々には回動角度を決定するためのストッパを有していること、
を特徴とする洗面台における補助器具の支持装置。
【請求項２】
前記アームの各々は軸によって互いに回動自在に連結され、互いに連結される前記アームの組のうち少なくとも一組について前記軸による連結位置を変更可能とし、前記連結位置を変更することで互いに連結された前記アームどうしの回動角度を調整可能としたことを特徴とする請求項１に記載の洗面台における補助器具の支持装置。
【請求項３】
前記ガイドから延出する前記アーム及び前記補助器具の重量と、前記ガイド内に残存する残りの前記アームの重量とをバランスさせたことを特徴とする請求項１又は２に記載の洗面台における補助器具の支持装置。
【請求項４】
前記残りのアームに重量をバランスさせるためのバランサを設けたことを特徴とする請求項３に記載の洗面台における補助器具の支持装置。
【請求項５】
前記アームと筒状又は枠状の前記ガイド内に挿入し、前記アームと前記ガイドとを一体化したことを特徴とする請求項１〜４のいずれかに記載の洗面台における補助器具の支持装置。
【発明の詳細な説明】
【技術分野】
【０００１】
本発明は、洗面台において、洗面台使用者が頭髪を手入れしたり乾燥させたりする際の補助鏡やドライヤー、照明その他の補助器具を支持する補助器具の支持装置に関し、不使用時には洗面台の背面又は側面に格納した状態とし、使用時に引き出して所望の位置に前記補助器具を位置させることができる洗面台における補助器具の支持装置に関する。
【背景技術】
【０００２】
従来より、洗面台を使って頭髪の手入れなどを行う際に、後頭部を見ることができないことから、合わせ鏡などの補助鏡を使用することがよく行われている。そして、補助鏡を洗面台や天井から延出させた自在アームの先端に取り付けて、両手をフリーにした状態で頭髪の手入れを行えるようにした装置が種々提案されている（特許文献１〜５参照）。
【先行技術文献】
【特許文献】
【０００３】
【特許文献１】実開平５−８０３５８号公報
【特許文献２】実開平７−３６８２３号公報
【特許文献３】実用新案登録第３１１８６３９号公報
【特許文献４】実用新案登録第３０４５１３５号公報
【特許文献５】特開２００７−１９５９１２号公報
【発明の開示】
【発明が解決しようとする課題】
【０００４】
しかし、これら従来の装置は、補助鏡の不使用時には折り畳んで洗面台の上部又は側部に沿わせて格納状態とし、洗面台を使用する他の作業の際に邪魔にならないような工夫はされているものの、補助鏡を支持するアームなどが洗面台の外側に露出しているので洗面台の外観を低下させるほか、洗面台を掃除するときなどに邪魔になるという問題がある。
また、使用を終えてアームを折り畳むと、次回使用時に再び補助鏡の姿勢や位置合わせを行わなければならず、面倒であるという問題もあった。
【０００５】
本発明は上記の課題を解決するためになされたもので、通常は洗面台の側部又は背部に格納することで外観的に目立たなくするとともに、補助鏡等の補助器具を使用する際にはアームを延伸させることで所望の位置及び姿勢で補助器具を位置させることが可能で、既存の洗面台に後付も可能な洗面台における補助器具の支持装置の提供を目的とする。
【課題を解決するための手段】
【０００６】
上記課題を解決するための請求項１に記載の発明は、洗面台に設けられ、洗面台の使用者の作業を補助する補助器具の支持装置であって、前記洗面台に設けられたガイドと、このガイドに沿って前記洗面台の上部から出入りする屈曲自在な多節アームと、この多節アームを移動させて前記洗面台の上部から出入りさせる移動手段と、前記多節アームの先端に設けられ前記補助器具を取り付ける取付部材とを有し、前記多節アームは、複数のアームを互いに回動自在に連結して構成され、かつ、前記アームは、前記アーム及び前記補助器具の自重によって一側に各々が回動し、各前記アームの各々には回動角度を決定するためのストッパを有している構成としてある。
【０００７】
この構成によれば、補助器具の不使用時には多節アームは洗面台の背面又は側面に格納されていて外から目立つことがなく、洗面台の掃除の際にも邪魔にならない。そして、補助器具の使用時には、多節アームを洗面台の背面又は側面からから引き出せば、回動角度が決められたアームによって、補助器具が予め設定された姿勢で予め設定された位置まで移動する。
なお、前記移動手段は、操作紐やハンドル、レバーのように手動で多節アームを移動させるものであってもよいし、モータなどの駆動体を用いて自動又は半自動で多節アームを移動させるものであってもよい。
【０００８】
請求項２に記載するように、前記アームの各々は軸によって互いに回動自在に連結され、互いに連結される前記アームの組のうち少なくとも一組について前記軸による連結位置を変更可能とし、前記連結位置を変更することで互いに連結された前記アームどうしの回動角度を調整可能としてもよい。
このようにすれば、使用者の身長などに応じて、アームの連結位置を変更するだけで、補助器具の配置位置及び姿勢を調整することが可能になる。
【０００９】
また、請求項３に記載するように、前記ガイドから延出する前記アーム及び前記補助器具の重量と、前記ガイド内に残存する残りの前記アームの重量とをバランスさせてもよい。請求項４に記載するように、前記残りのアームに重量をバランスさせるためのバランサを設けてもよい。
このようにすることで、多節アームを洗面台の背面や側面に格納する際に、補助器具を少し格納方向に押すだけで、自動的に多節アームを多節アームを洗面台の背面や側面に格納することができる。
【００１０】
本発明の補助器具の支持装置は、例えば前記アームを筒状又は枠状の前記ガイド内に挿入し、前記アームと前記ガイドとを一体化することで、装置をユニット化することができる。そのため、既設の洗面台に後付で簡単に支持装置を取り付けることが可能になる。
【発明を実施するための最良の形態】
【００１１】
以下、本発明の好適な実施形態を、図面を参照しつつ詳細に説明する。
図１は本発明の洗面台における補助器具の支持装置（以下、「支持装置」と記載する）の一実施形態にかかり、（ａ）は補助鏡の未使用時の状態を、（ｂ）は補助鏡の使用時の状態を示している。
【００１２】
洗面台３は、シンク部３０とその上方に設けられた鏡３１とを備えている。一般家庭で用いられる一般的な洗面台３の寸法は、高さ１８００〜２０００ｍｍ程度、幅９００〜１２００ｍｍ程度で、通常は壁面に沿って配置される。
この実施形態において支持装置１は洗面台３と一体に設けられ、補助器具の一例である補助鏡２を先端に取り付ける多節アーム１１と、洗面台３の背面に設けられ、多節アーム１１を洗面台３の背面に設置するとともにその昇降を案内するガイド１３と、一端が多節アーム１１に連結され他端に使用者Ｍが把持するハンドル１２を備えた操作紐１５と、この操作紐１５の向きを調整して洗面台３におけるハンドル１２の位置を決めるために天井や壁面に設けられる一つ又は複数のプーリ１６とを有している。補助器具が図示するような補助鏡２の場合、ＬＥＤ４などの照明体を補助鏡２に取り付けることで、後頭部をより見やすくすることができる。
【００１３】
図示の例では、使用者Ｍが操作紐１５の先端のハンドル１２を把持して下方に引き下げることで、多節アーム１１が洗面台３の背面から上方に引き出され、引き出された多節アーム１１の各節部が予め設定された回動角度だけ屈曲することで、洗面台３の上部に格納された状態の補助鏡２が使用者Ｍの頭部Ｍａの後方まで移動する（図１（ｂ）参照）。すなわち、この実施形態では、ハンドル１２，操作紐１５及びプーリ１６が多節アーム１１を移動させて洗面台３の上部から出入りさせるための移動手段を構成する。なお、操作紐１５の向きを調整するための手段は、上記したプーリ１６に限らず金属製や樹脂製のパイプや樋であってもよい。また、天井や壁面にプーリ１６や前記パイプ又は前記樋を設けることが困難であったり、天井や壁面に孔を開けたくないような場合には、洗面台３の背面や側面にプーリ１６を取り付けるための支柱や取付板を取り付けるとよい。
【００１４】
上記のような作用を奏する多節アーム１１の構成の一例を図２に示す。図２は、本発明の主要部の構成を説明する部分斜視図で、説明の便宜のため多節アーム１１は分解して示してある。
多節アーム１１は、側面形状が台形に形成された舟形の複数の第一アーム１１１と複数の第二アーム１１２とを、互い違いに配置して回動自在に連結して構成される。第一アーム１１１及び第二アーム１１２は金属や樹脂で形成することができるが、多節アーム１１を引き出し又は引き込む際の擦過音や衝突音を抑制するためには、樹脂で形成するか、金属で形成する場合には擦過箇所及び衝突箇所にゴムや樹脂の緩衝材を取り付けるのが好ましい。
【００１５】
第一アーム１１１は、対向する側板１１１ａだけを残して上下の底板は除去してある。第二アーム１１２は第一アーム１１１よりも若干細幅に形成されていて、第一アーム１１１の上下の開口から第一アーム１１１の内部に差し込めるようになっている。
【００１６】
第一アーム１１１及び第二アーム１１２の対向する側板１１１ａ，１１２ａにおける台形の下底辺側（長底辺側）には、それぞれ両端に軸孔１１１ｂ，１１２ｂと軸孔１１１ｃ，１１２ｃが形成され、この軸孔１１１ｂ，１１２ｂ，１１１ｃ，１１２ｃに第一アーム１１１と第二アーム１１２とを回動自在に連結する軸１１３が挿し通される。軸１１３の一端には止めピン１１５等を差し込んで抜け止めとする。
第一アーム１１１及び第二アーム１１２の上端にはストッパ１１１ｄ，１１２ｄが設けられていて、このストッパ１１１ｄ，１１２ｄに第一アーム１１１，第二アーム１１２が当接することで、第一アーム１１１と第二アーム１１２との相対的な回動角度（αとする）が決定される。
【００１７】
補助鏡２の位置と姿勢（角度）は、第一アーム１１１と第二アーム１１２の長さと回動角度αによって決定される。第一アーム１１１と第二アーム１１２との回動角度αを例えばα＝２０°とした場合、洗面台３の上部から延出する第一アーム１１１及び第二アーム１１２の数を合計で８つとすれば、多節アーム１１の先端に取り付けた補助鏡２が洗面台３の上部から使用者Ｍの頭部Ｍａの後方まで移動する間に、その姿勢を１８０°反転させることができる。
【００１８】
第一アーム１１１及び第二アーム１１２の合計数は、補助鏡２を所定の位置まで引き出した後も、多節アーム１１の一部がガイド１３によってガイドされたままの状態で残るような数とする。例えば、洗面台３の上部から延出する第一アーム１１１及び第二アーム１１２の数が８つの場合は、９つ以上とする。
好ましくは、補助鏡２を所定の位置まで引き出したときの洗面台３の上部から延出する補助鏡２，第一アーム１１１及び第二アーム１１２の重量と、ガイド１３内に残存する第一アーム１１１及び第二アーム１１２の重量とがバランスするようにする。
【００１９】
洗面台３の高さ方向の寸法の制約上、ガイド１３内に残存させることのできる第一アーム１１１及び第二アーム１１２の数が制約されるような場合には、図２に示すようなバランサ（錘）１７を設けるとよい。
このようにすることで、補助鏡２を格納する際には、補助鏡２を格納方向に少し押してやるだけで、第一アーム１１１及び第二アーム１１２の自重によって自動的に多節アーム１１が洗面台３の背面に引き込まれる。
【００２０】
複数の第一アーム１１１及び第二アーム１１２を軸１１３で連結して構成される多節アーム１１は、筒状のガイド１３に挿入され、ガイド１３と一体になった状態で洗面台３の背面に取り付けられる。ガイド１３の洗面台３の背面への取り付けは、ボルトによるものであってもよいし、粘着テープや接着剤によるものであってもよい。
【００２１】
多節アーム１１の最下端に位置するアーム（図示の例では第二アーム１１２）には紐連結部１４が取り付けられ、ガイド１３の側面に形成された上下方向の溝１３ａからガイド１３の外側に突出する。そして、この紐連結部１４に操作紐１５の一端が連結され、他端のハンドル１２を引くことで多節アーム１１がガイド１３に案内されながら上昇する。
【００２２】
なお、特に図示はしないが、多節アーム１１の先端に位置する第一アーム１１１又は第二アーム１１２には、補助鏡２を取り付けるための取付部材が設けられる。取付部材として、例えば特許文献３に記載された支持アームのような公知のフレキシブルアームを用いれば、第一アーム１１１又は第二アーム１１２に対する補助鏡２の取付姿勢を自在に調整することが可能になる。
【００２３】
この実施形態では、図２に示すように下方の軸孔１１１ｃ，１１２ｃが上下に複数（図示の例では４つ）形成されていて、軸１１３を挿し通す軸孔１１１ｃ，１１２ｃの位置を変更することができるようになっている。そして、軸孔１１１ｃ，１１２ｃの位置を変えることで、第一アーム１１１と第二アーム１１２との相対的な回動角度αを調整できるようになっている。
図３（ａ）に示すように、例えば第一アーム１１１の一番下の軸孔１１１ｃ（図において黒塗りで示す）を使って第二アーム１１２と軸１１３で連結した場合の回動角度をα１とする。この軸孔１１１ｃを一つ上のものに変更すると、図３（ｂ）に示すように回動角度はα２（α１＜α２）に変化する。
【００２４】
図４に、最もガイド１３側に位置する第一アーム１１１における軸１１３を挿し通す軸孔１１１ｃの位置を変化させた場合の作用を示すが、当該第一アーム１１１のみの軸孔１１１ｃの位置を変化させただけでも、図４に示すように補助鏡２の位置が(i)(ii)（iii）(iv)と大きく変化する。このように、第一アーム１１１及び第二アーム１１２に軸孔１１１ｃ，１１２ｃを複数設けて、軸１１３を挿し通す軸孔１１１ｃ，１１２ｃを変えることで、補助鏡２の位置を広範に調整することが可能になり、使用者Ｍの身長などに応じて最適位置に最適姿勢で補助鏡２を配置することが可能になる。
【００２５】
上記の実施形では、多節アーム１１は操作紐１５によって引き出すものとしている。しかし、多節アーム１１を洗面台３から引き出したり格納したりすることができるものであれば、操作紐１５に限らずレバー状の操作ハンドルであってもよい。また、モータ等の駆動体を用いることで、自動又は半自動で多節アーム１１を洗面台３から引き出したり格納したりすることができるようになる。モータ等の駆動体を用いた本発明の他の実施形態を図５に示す。
【００２６】
図５は本発明の支持装置の他の実施形態を示す主要部の構成を説明する斜視図で、多節アームなどの一部を分解して示してある。
この実施形態において先の実施形態と相違するところは、先の実施形態では操作紐１５とその先端のハンドル１２とにより手動で多節アーム１１を洗面台３の背後から引き出すようにしているのに対し、この実施形態では、ガイド１３に取り付けたリニアモータ等の駆動体１８によって多節アーム１１を洗面台３の背後のガイド１３から引き出すようにしている点である。
【００２７】
図示の例では、ガイド１３の側面に溝１３ａが形成され、この溝１３ａに沿って昇降方向に移動する連結ロッド１８ａを備えたリニアモータ等の駆動体１８が、ガイド１３の側面に取り付けられる。連結ロッド１８ａは、多節アーム１１の一番最下端に配置されるアーム（図示の例では第二アーム１１２）に連結される。そして、洗面台３の前面などに配置される図示しないスイッチを使用者Ｍ（図４参照）が操作することで駆動体１８が駆動し、連結ロッド１８ａが溝１３ａに沿って上昇することで、多節アーム１１をガイド１３から引き出す。使用者Ｍは、補助鏡２が任意の位置まで移動したときに駆動体１８を停止させることで、補助鏡２を所望位置に位置させることができる。補助鏡２を収納する際には、連結ロッド１８ａを溝１３ａに沿って下降させる方向に駆動体１８を駆動させればよい。
【００２８】
本発明の好適な実施形態について説明したが、本発明の支持装置は上記の説明に限定されない。
例えば、軸孔１１１ｃ，１１２ｃを複数設けるのは第一アーム１１１及び第二アーム１１２のいずれか一方であってもよく、かつ、上方の軸孔１１１ｂ，１１２ｂを複数設けるものとしてもよい。
さらに、上記の実施形態では補助器具として補助鏡２を例に挙げているが、本発明はＬＥＤなどの照明等の他の補助器具にも適用が可能であり、着脱自在な取付部材によってこれら補助器具を適宜に交換できるようにすることもできる。
【００２９】
また、補助器具としてドライヤーを設けることも可能であるが、このような場合は送風を行うドライヤー本体を洗面台３の内部などに配置し前記ドライヤー本体から伸びる伸縮自在な送気管を前記取付部材に取り付けるようにすればよい。
さらに、上記の実施形態においてストッパ１１１ｄ及び１１２ｄは、第一アーム１１１及び第二アーム１１２から張り出すように形成されているが、第一アーム１１１及び第二アーム１１２の一部をストッパとして利用することも可能である。
【図面の簡単な説明】
【００３０】
【図１】本発明の洗面台における補助器具の支持装置（以下、「支持装置」と記載する）の一実施形態にかかり、（ａ）は補助鏡の未使用時の状態を、（ｂ）は補助鏡の使用時の状態を示している。
【図２】本発明の主要部の構成を説明する図で、多節アームを分解した部分分解斜視図である。
【図３】第一アームにおいて一番下の軸孔から一つ上の軸孔に変更した場合の回動角度の変化の様子を説明する図である。
【図４】軸孔の位置を変更した場合の補助鏡の位置の変化の様子を示す図である。
【図５】本発明の支持装置の他の実施形態を示す主要部の構成を説明する斜視図で、多節アームなどを分解した部分分解斜視図である。
【符号の説明】
【００３１】
１        洗面台における補助器具の支持装置
１１      多節アーム
１１１    第一アーク
１１２    第二アーム
１１１ａ，１１２ａ  側板
１１１ｂ，１１２ｂ  軸孔（上方）
１１１ｃ，１１２ｃ  軸孔（下方）
１１１ｄ，１１２ｄ  ストッパ
１１３    軸
１２      ハンドル
１３      ガイド
１４      紐連結具
１５      操作紐
１６      プーリ
１７      バランサ
１８      駆動体（移動手段）
２        補助器具（補助鏡）
３        洗面台
４        ＬＥＤ
【図１】
2017169948.tif 000003
【図２】
2017169948.tif 000004
【図３】
2017169948.tif 000005
【図４】
2017169948.tif 000006
【図５】
2017169948.tif 000007